(57)【特許請求の範囲】
【請求項１】
複数のストレージ媒体に関連したコンテンツ情報であるコンテンツ情報を生成した後、該コンテンツ情報が、ストレージ媒体上に保存されるオーディオ／ビジュアルストレージ媒体に関するコンテンツ情報の更新の方法であって、
ストレージ媒体が、ヘッダデータとペイロードデータから構成され、かつ、ユーザデータエリアを含んでいるデータ要素ブロックのデータストリームで記録され、更新コンテンツ情報が、ストレージ媒体上に保存されたデータストリームのユーザデータエリアの中に保存されることを特徴とするコンテンツ情報の更新の方法。
【請求項２】
データストリームのユーザデータエリアが、
−管理情報データストリームのユーザデータエリア
−オーディオ／ビデオデータストリームのユーザデータエリア
−補助データストリームのユーザデータエリア
のいずれか１つであることを特徴とする請求項１に記載の方法。
【請求項３】
ストレージ媒体上に保存されたコンテンツ情報と、読み出し及び／又は記録装置上に存在するコンテンツ情報とが、ストレージ媒体が装置に挿入される又は装置から取り出される毎に比較され、記録媒体上の古い情報の更新が可能なところで行われることを特徴とする請求項１から２のいずれか１項に記載の方法。
【請求項４】
コンテンツ情報が、ストレージ媒体の名前を含み、さらにジャンル情報、タイトルの名前、及び関連したデータの名前の１つ又は複数を含んでいることを特徴とする請求項１から３のいずれか１項に記載の方法。
【請求項５】
請求項１から４のいずれか１項に記載の方法を実行するための装置。
【請求項６】
ヘッダデータとペイロードデータから構成され、かつ、複数のストレージ媒体に関連したコンテンツ情報を有するユーザデータエリアを含んでいるデータ要素ブロックのデータストリームを含んでいるストレージ媒体であって、
ストレージ媒体上に記録されたデータストリームのユーザデータエリアの中に保存されているコンテンツ情報を含んでいるストレージ媒体。
【発明の詳細な説明】
【技術分野】
【０００１】
本発明はオーディオ／ビジュアルストレージ媒体に関連するコンテンツ情報の更新の方法、装置およびストレージ媒体に関する。
【背景技術】
【０００２】
特許文献１より、コンテンツ情報を生成した後、コンテンツ情報をストレージ媒体上に保存するために提供されるビデオレコーダが知られている。
【特許文献１】欧州特許出願公開  第４２４６５３号
【発明の開示】
【発明が解決しようとする課題】
【０００３】
本発明は、ストレージ媒体上にコンテンツ情報を保存するために提供される改良されたビデオレコーダを提案することを目的とする。
【課題を解決するための手段】
【０００４】
本発明によれば、オーディオ／ビジュアルストレージ媒体に関するコンテンツ情報、特に更新されたコンテンツ情報は、ストレージ媒体上に保存されたデータストリームのユーザデータエリアの中に保存される。これは、コンテンツ情報が定まった位置に保存される、及び、コンテンツ情報がデータストリームと一緒にあるために、コンテンツ情報が簡単に発見できる効果を有する。さらに、ストレージ媒体が、再書き込み可能なストレージ媒体であっても更新することが簡単である。ＭＰＥＧエンコードされた信号の場合、あるグループ又はパケット又は他の適切な部分は、この結果変化し、再度記録される。本発明の方法は、ユーザデータエリアが標準によって規定されていない予約されたエリアであるため、上記方法を適用できない他の従来の装置又は処理に影響を与えないという更なる効果を持っている。本発明に使用されるオーディオ／ビジュアルストレージ媒体の例は、ＤＶＤビデオディスク又はいわゆるＶＣＤであり、両者はビデオデータと同様にオーディオデータを保存するために提供されている。オーディオストレージのために提供されているストレージ媒体の例は、従来のＣＤ又はＤＶＤオーディオである。
【０００５】
本発明によるデータストリームのユーザデータエリアは、管理情報データストリーム、又はオーディオ／ビデオデータストリーム、又は補助データストリームのユーザデータエリアである。これらの組み合わせも本発明の範囲内である。管理情報データストリームのユーザデータエリアの中にコンテンツ情報を置く効果は、これが完全なストレージ媒体を参照する、及び／又は、定まったストレージ媒体データ管理情報を含んでいる場所であるということである。オーディオ／ビデオデータストリームのユーザデータエリアの中にコンテンツ情報を置く効果は、コンテンツ情報がそれを参照するデータエリアに直接リンクされることである。この場合、例えば、コピー動作がそのようなコンテンツ情報を取り扱うために提供されていない装置又は処理によって実行された時でも、これは自動的にコピー動作の中に含まれる。補助データストリームのユーザデータエリアの中にコンテンツ情報を置く効果は、そのような補助データストリームは一般にオーディオ／ビデオデータより頻繁にストレージ媒体上に現れないが、管理情報データよりも頻繁に現れることであり、その結果、それらの解決策に比較して、補助データストリームがオーディオ／ビデオデータより少なくストレージ媒体上に現れ、管理情報データよりも頻繁にストレージ媒体上に現れている間、それは両方の解決策の効果を提供する。
【０００６】
データストリームのユーザデータエリアの中に保存されたコンテンツ情報は、それぞれのデータストリーム部分に関係する、又はそれぞれのストレージ媒体に関係する、又は複数のストレージ媒体に関係することが好ましい。ユーザデータエリアがそれぞれデータストリームの部分と関係していることの効果は、この解決策が特別な位置に関する非常に選択的な情報に対して可能であることである。そのような特別な部分は、例えば、画像のグループ、一続きの画面、パケット、完全なタイトル、又は、ある時間若しくはデータ量が同等のもの等である。画像のグループ、一続きの画面は、ＭＰＥＧ基準の中に定義されているが、同様の部分は非ＭＰＥＧデータの中にも存在する。特別なストレージ媒体に関係しているコンテンツ情報は、ストレージ媒体のすべてのコンテンツの早い一覧を可能にするという効果を持っている。複数のストレージ媒体に関係しているコンテンツ情報は、ユーザのストレージ媒体のコレクション、例えば、彼又は彼女のＤＶＤディスクのコレクションの完全な一覧を可能にするという効果を持っている。
【０００７】
本発明によれば、ストレージ媒体上に保存されるコンテンツ情報と、読み出し及び／又は書き込み装置の中に存在しているコンテンツ情報は、読み出し及び／又は書き込み装置にストレージ媒体が挿入される、及び／又は該装置から該媒体が取り出される毎回ごとに、比較される。それぞれの情報がお互いに異なっている場合、それぞれの古い情報の更新は、可能なところで行われる。更新の実現は、記録媒体がオーバライトが可能でない時、又、更新に対する能力が提供されていない時に与えられない。本発明による更新方式の効果は、常に最新のコンテンツ情報がストレージ媒体を使用するデバイス上に存在することである。コンテンツ情報がデバイス上で変化した場合、最も最近の情報もストレージ媒体上で利用可能なように作られる。従って、本発明の更新方式を使用した場合、バックアップは、装置のコンテンツ情報メモリ、又は事故で削除若しくは障害になった記録媒体上に保存されているコンテンツ情報のどちらかに存在している。装置が読み出しのみの装置の場合、又はストレージ媒体がライトプロテクトされた場合、又は更新のため十分な時間が残っていない場合、又は同様な状況下では、更新ステップはスキップされる。
【０００８】
コンテンツ情報は、ジャンル情報、及び／又はストレージ媒体の名前、及び／又はタイトルの名前、及び／又は関連したデータの名前を含んでいることが望ましい。これは、更新がユーザにとって最も重要である、及び／又はユーザによって最も変更されると思われるコンテンツ情報に対して実行されるという効果を持つ。
【０００９】
本発明による装置は、本発明による方法を実施するために提供される。
【００１０】
本発明によるストレージ媒体は、ストレージ媒体上に記録されたデータストリームのユーザデータエリアの中に保存されたコンテンツ情報を含んでいる。その中にデータが存在するユーザデータエリアを持っているデータストリームを含んでいる点で、一般的なストレージ媒体と物理的に異なっている。このデータは、はっきり言えば、ストレージ媒体のコンテンツに関した、又は他のストレージ媒体のコンテンツにも関したコンテンツ情報である。
【００１１】
更なる効果は、好ましい実施形態の詳細な説明から受け取られる。これらの記述のほか、特徴の異なった組み合わせは、もちろん本発明の範囲内にある。
【発明を実施するための最良の形態】
【００１２】
図１は、本発明のビデオ記録装置１の図解を示している。記録及び再生部分ＲＥＣは、ディスプレイ２に再生信号を出力する。ディスプレイ２は、マイクロプロセッサｕＰによって提供されるタイマメニューを表示するためにも提供される。マイクロプロセッサｕＰは、ユーザインターフェースＵＩからコマンドを受け取り、開始時間ＳＴと終了時間ＥＴをメモリＭ１に転送する。タイマモードが選択されていた場合、メモリＭ１に設定された時刻ＳＴ、ＥＴにより、記録及び再生部分ＲＥＣは、記録を開始及び終了する。マイクロプロセッサは、所定所要時間ＰＤを受け取るため、及び入力開始時間ＳＴＩから終了時間ＥＴＩを計算するため、所定所要時間メモリＰＤＭにも接続されている。記録媒体８としてのディスクは、記録及び再生部分ＲＥＣの中に挿入されているように示されている。それは、ＤＶＤのような可換型ディスク又はハードディスクであっても良い。装置１は、さらにメモリ９も用意される。装置１は接続手段３も有しており、そこで、可換型媒体５のための外部可換型媒体装置４が装置１に接続され、及び装置１から切断される。
【００１３】
発明の装置はさらに、ディスクライブラリの特徴を含んでいる。各記録媒体８のコンテンツインデックスは、以下でＥＥＰＲＯＭメモリ９と名付けられるメモリ９の中に保存される。ユーザは、再生したいタイトルをメモリ９の中に保存されたコンテンツインデックスから選択することができる。マイクロプロセッサｕＰは、それゆえ、メモリ９からデータを取り出し、ディスプレイ２にそれぞれのメニューを表示する。表示された情報から、ユーザは、望ましいタイトルを再生するため、いくつかの記録媒体８、特にＤＶＤディスク又は他の可換型ストレージ媒体のどれかを、装置１に挿入すればよいかを知ることができる。ＥＥＰＲＯＭメモリ９上のディスクライブラリ情報の最適化されたストレージが提案される。本発明は、ディスク８上に記録されたタイトルを保存しているＥＥＰＲＯＭメモリ９の柔軟な管理を提供する。
【００１４】
保存されるディスク８の数及びディスク８毎のタイトル数を前もって決めておく代わりに、ＥＥＰＲＯＭメモリ９が満杯になるまで、連続してディスク８のタイトルをすべて、次のディスク８も同じようにして、ユーザがＥＥＰＲＯＭメモリ９に記録することを提案される。これはユーザによりよい自由度を与えるという効果を持つ。以下は、この特徴についてのある説明である。各ディスク８は一意な数が割り当てられている。１つ又は複数の記録を有し、一意な数を有しているディスク８が、ディスク番号に割り当てられる。ディスク８上に記録されたすべてのタイトルは、ディスク番号によって関係づけられ、リンクされる。この情報はＥＥＰＲＯＭメモリ９の中に保存される。ソフトウェア、つまりマイクロプロセッサｕＰによって生成されるフリーＥＥＰＲＯＭトークンリストがある。例えば、１番目のタイトルがディスク８から削除された場合、対応するＥＥＰＲＯＭの場所がフリーになる。次の記録は、‘フリーＥＥＰＲＯＭトークンリスト’の中の１番目の可能なＥＥＰＲＯＭの位置を得て、対応する情報がこの位置に保存される。
【００１５】
図２のフローチャートは、ディスクライブラリリンクリストの生成を示している。ステップＳ６０１でディスクリンクリストが作成される。これに続くステップＳ６０２でタイトルリンクリストが生成される。この後のステップＳ６０３で、メモリ９の中のすべての可能な空間のリスト、いわゆるフリーＥＥＰＲＯＭトークンリンクリストが生成される。この後のステップＳ６０４で、サービスのための要求メッセージを待つ。
【００１６】
図３のフローチャートは、ＥＥＰＲＯＭメモリ９からディスク８又はディスク８のタイトルがどのように追加及び削除されるかを示している。ユーザ入力から受け取る、又は装置の他のユニットから生成されるメッセージ７００の内容に従って、それぞれステップＳ７０１又はＳ７０３に進む。ステップＳ７０１の中で、ディスク８についての情報又はディスク８のタイトルについての情報は、メモリ９に追加される。ステップＳ７０２の中でそのようにするため、メモリ９の中の１番目の可能な場所が、フリーＥＥＰＲＯＭトークンリンクリストの中から検索される。それぞれの情報が見つかった場所に保存され、ステップＳ７０４で、フリーＥＥＰＲＯＭトークンリンクリストが、もはや上記位置を含んでいないと更新される。ステップＳ７０３でディスク８の情報又はディスク８のタイトルについての情報は、メモリ９から削除される。これが実行され、続いてフリーＥＥＰＲＯＭトークンリンクリストが、ステップＳ７０４で対応するメモリ位置が含まれるように更新される。
【００１７】
図４は、ストレージ媒体９００の概要を示す。ストレージ媒体９００は、異なった部分９０３、９１３を持っているディスク、例えば、デジタルビデオディスクＤＶＤとして図示される。それらの部分９０３、９１３のトラック９０４が、概念的に図示されている。
【００１８】
トラック９０４の拡大した部分が示されている。らせん又は同心に配置されたトラック９０４の複数の平行な部分が見られる。トラックは、異なったデータ要素ブロック９０５を含んでいるデータストリーム９０１を含んでいる。異なったデータ要素ブロック９０５は、それが音楽データを含んでいる場合、ＡＵＤと示され、ビデオデータを含んでいる場合、ＶＩＤと示され、予備データを含んでいる場合、ＡＵＸを示され、管理情報を含んでいる場合、ＩＮＦと示される。ヘッダエリア９０６とペイロードエリア９０７を含んでいるデータ要素ブロック９０５の１つをさらに拡大した図が示されている。ヘッダエリア９０６は、ユーザデータエリア９０２と同様にヘッダ情報（図示されていない）を含んでいる。ユーザエリア９０２は、ここでは記載されていない他のものの中に、コンテンツ情報ＣＩを含んでいる。ペイロードエリア９０７中に、ペイロードブロック９０８が示されており、ペイロードブロック９０８は、それ自身の中に、コンテンツ情報ＣＩが含まれているユーザデータエリア９１２を含んでいる。コンテンツ情報ＣＩは、データストリーム部分９０３、９１３に関連したコンテンツ情報ＣＩＰ又は対応するストレージ媒体１に関係するコンテンツ情報ＣＩＤ又は複数のストレージ媒体１、つまりディスクライブラリに関係するコンテンツ情報ＣＩＬの１つである。
【００１９】
あるディスク８に関する情報を表示するため、ＥＥＰＲＯＭメモリ９は、特定のディスク番号に関するすべての見出しについて探される。
【００２０】
ディスクライブラリは、ジャンル情報を含んでいることが好ましく、それらは例えばミュージカル、演劇等のように格付けされる。
【００２１】
あるディスク８上の記録に関するジャンル情報は、再生／記録装置１のＥＥＰＲＯＭメモリ９の中に保たれている。従って、装置１で利用可能である。
【００２２】
本発明によれば、ジャンルについての情報は、ディスク８上のデータストリームの中の特別なユーザデータエリア中と同様に、ＥＥＰＲＯＭメモリ９の中に保存される。従って、ディスクライブラリは装置１に依存しない。各ディスク８は、メモリ９の中の情報が変化しない限り、装置１と同じライブラリ情報を含んでいる。再書き込み可能なディスクが使用された時、それも更新される。
【００２３】
これは、ユーザのディスクライブラリがあるマシンだけではなく、複数のディスク８上で利用可能になるという効果を有する。従って、マシンが他のマシンに置き換わっても失われることはない。ユーザが複数の再生及び／又は記録装置１を使用した場合でも、それらのすべてが、ディスク８の交換によって同一のライブラリ情報に更新される。
【００２４】
ＸＤＳ又はＭＰＥＧでは異なっており、そのような情報は他の場所に保存されるので、提案に従って、そのような情報は定まった場所に保存される。
【００２５】
記録が終わった後、選択されたディスク情報は、メモリ９の中のシステムディスクライブラリに更新される。保存される情報の１つはジャンルである。ユーザは、ユーザインターフェース画面２で、ジャンル設定を修正したり、設定したりすることができる。ユーザが他の互換性のある記録マシンでジャンル設定を変えた場合、システムが最新のジャンル設定を持つことができるようにするため、ジャンルについての情報は、ディスク８上のデータストリームの中の特別なユーザデータエリアの中に保存される。従って、ディスクライブラリは装置１に依存していない。各ディスク８はライブラリ情報を保存している。
【００２６】
ディスク上のデータストリームの中の特別なユーザデータエリアは、ユーザデータフィールド情報を記録しているビデオ記録管理情報であることが好ましい。そのようなフィールドは通常、記録媒体のための標準として提供されている。この選択の利点は、そのようなフィールドは標準を破ることなく、新しい定義のために提供されていることである。そのようなフィールドは、記録されてデータストリームより直接に、もっと高レベルで簡単にアクセスできる。もちろん、データストリームそれ自体のユーザデータフィールドは、ジャンル情報を保存するために使用されることも効果的である。この場合、記録された特別なデータ、例えば再生装置又は非準拠の装置によって作成された複製、の中を探すことなく装置がアクセス可能でもある。
【００２７】
詳細は、ジャンル情報に言及してきたが、他のユーザが変化できる情報も、本発明により取り扱われることで効果がある。そのようなユーザが変化できる情報は、他の中で、特別なディスクの名前、タイトルの名前、ソースの名前、放送局の名前、ペアレンタルコントロール情報、又はサムネイル若しくは、記録、要約に関した画像のような追加のデータの名前がある。
【図面の簡単な説明】
【００２８】
【図１】本発明の装置の図面である。
【図２】ディスクライブラリリンクリストの生成
【図３】メモリへの追加及びメモリからの削除
【図４】ディスク上のディスクライブラリの配列
【符号の説明】
【００２９】
１  装置
２  ディスプレイ
３  接続手段
４  外部可換型媒体装置
５  可換型媒体
８  記録媒体
９  メモリ
９００  ストレージ媒体
９０１  データストリーム
９０２  ユーザデータエリア
９０３、９１３  データストリーム部分
９０４  トラック
９０５  データ要素ブロック
９０６  ヘッダエリア
９０７  ペイロードエリア
９０８  ペイロードブロック
９１２  ユーザデータエリア
【図１】
0004492700.tif 000002
【図２】
0004492700.tif 000003
【図３】
0004492700.tif 000004
【図４】
0004492700.tif 000005